(57)【要約】【課題】  本発明は、照明光の照射方向を変更可能なバウンス機能を備えた電子閃光装置に関し、発光部の垂直方向または水平方向あるいは両方向の回動動作の禁止状態の解除を同一の検出手段で検出することを目的とする。【解決手段】  発光部を本体部に対して垂直方向の基本状態位置から垂直方向に回動し垂直方向のバウンス状態位置にするための垂直方向回動手段と、前記発光部を前記本体部に対して水平方向の基本状態位置から水平方向に回動し水平方向のバウンス状態位置にするための水平方向回動手段とを備えた電子閃光装置において、前記発光部が、前記垂直方向または水平方向のいずれか／または両方向の前記バウンス状態位置にあることを、同一の位置検出手段により検出することを特徴とする。【選択図】      図１
2005099411.tif 000002
【特許請求の範囲】
【請求項１】
発光部を本体部に対して垂直方向の基本状態位置から垂直方向に回動し垂直方向のバウンス状態位置にするための垂直方向回動手段と、前記発光部を前記本体部に対して水平方向の基本状態位置から水平方向に回動し水平方向のバウンス状態位置にするための水平方向回動手段とを備えた電子閃光装置において、
前記発光部が、前記垂直方向または水平方向のいずれか／または両方向の前記バウンス状態位置にあることを、同一の位置検出手段により検出することを特徴とする電子閃光装置。
【請求項２】
請求項１記載の電子閃光装置において、
前記発光部が連結部を介して本体部に連結され、
前記垂直方向回動手段は、前記発光部を前記連結部に対して回動し、前記水平方向回動手段は、前記連結部を前記本体部に対して回動することを特徴とする電子閃光装置。
【請求項３】
発光部を本体部に対して垂直方向の基本状態位置から垂直方向に回動し垂直方向のバウンス状態位置にするための垂直方向回動手段と、前記発光部を前記本体部に対して水平方向の基本状態位置から水平方向に回動し水平方向のバウンス状態位置にするための水平方向回動手段とを備えた電子閃光装置において、
前記発光部を前記垂直方向の基本状態位置に係止する垂直方向係止手段と、
前記発光部を前記水平方向の基本状態位置に係止する水平方向係止手段と、
前記連結部に配置され前記垂直方向係止手段および水平方向係止手段の係止を解除する係止解除手段と、
前記係止解除手段による係止解除状態において、前記発光部が前記垂直方向または水平方向のいずれか／または両方向の前記バウンス状態位置にある時に接点をオンにする位置検出手段と、
を有することを特徴とする電子閃光装置。
【請求項４】
請求項３記載の電子閃光装置において、
前記発光部が連結部を介して本体部に連結され、
前記垂直方向回動手段は、前記発光部を前記連結部に対して回動し、前記水平方向回動手段は、前記連結部を前記本体部に対して回動するとともに、
前記垂直方向係止手段は、前記発光部を前記連結部に係止し、前記水平方向係止手段は、前記連結部を前記本体部に係止し、
前記位置検出手段は、前記発光部または前記連結部がバウンス状態位置に回動された時に接点をオンにすることを特徴とする電子閃光装置。
【請求項５】
請求項４記載の電子閃光装置において、
前記垂直方向係止手段は、
前記連結部内に配置され前記発光部の回動に伴い回動する回動部材と、
前記連結部内に配置され前記発光部が前記基本状態位置にある時に前記回動部材を第１の軸長方向位置で係止し、前記発光部が前記バウンス状態位置にある時に前記回動部材を第２の軸長方向位置に位置させる係合部材とを備え、
前記水平方向係止手段は、
前記連結部内に配置され前記連結部が前記基本状態位置にある時に前記連結部および前記本体部に形成される穴部に挿入され、前記連結部が前記バウンス状態位置にある時に前記本体部の外面に当接されるピン部材と、
前記連結部内に配置され前記ピン部材を前記本体部側に付勢する付勢部材とを備え、
前記係止解除手段は、
前記連結部に配置され押圧操作される操作部材と、
前記連結部内に配置され前記操作部材の押圧により前記第２の軸長方向位置に移動されるレバー部材と、
前記連結部内に配置され前記レバー部材の前記第２の軸長方向位置への移動により第３の軸長方向位置に移動される第１の移動部材と、
前記第１の移動部材の前記第３の軸長方向位置への移動により前記ピン部材を前記付勢手段による付勢方向と反対に移動して前記本体部に形成される穴部への係止を解除する解除機構とを備え、
前記位置検出手段は、
前記連結部内に配置され前記第１の移動部材の前記第３の軸長方向位置への移動によりブラシ部を移動して接点をオンにする位置検出手段と、
を有することを特徴とする電子閃光装置。
【請求項６】
請求項５記載の電子閃光装置において、
前記垂直方向係止手段は、
両側に係止部が形成される前記回動部材と、
前記発光部が前記基本状態位置にある時に前記回動部材の前記係止部が係合され、前記発光部が前記バウンス状態位置にある時に前記回動部材の両側の前記係止部が側面に当接される前記係合部材とを備え、
前記第１の軸長方向位置は、前記回動部材の前記係止部が前記係合部材に係合している位置であり、前記第２の軸長方向位置は、前記回動部材の両側の前記係止部が前記係合部材の側面に当接されている位置であることを特徴とする電子閃光装置。
【請求項７】
請求項５または請求項６記載の電子閃光装置において、
前記係止解除手段の前記解除機構は、
前記ピン部材に固定される第２の移動部材と、
前記第２の移動部材に固定され前記第１の移動部材に形成されるカム溝に案内される案内ピンとを備え、
前記位置検出手段は、
前記第２の移動部材に固定される前記ブラシ部と、
前記連結部内に配置され前記第１の移動部材の前記第３の軸長方向位置への移動による前記第２の移動部材の移動により前記ブラシ部により接点をオンにされるプリント基板とを備え、
ていることを特徴とする電子閃光装置。
【発明の詳細な説明】
【技術分野】
【０００１】
本発明は、電子閃光装置に係わり、特に、照明光の照射方向を変更可能なバウンス機能を備えた電子閃光装置に関する。
【背景技術】
【０００２】
従来、照明光の照射方向を変更可能なバウンス機能を備えた電子閃光装置として、例えば、特開平１１−６４９３７号公報に開示されるものが知られている。
この電子閃光装置では、一つの操作部材の操作により、発光部の水平方向もしくは垂直方向に対する回動動作が禁止された禁止状態を解除することが可能であり、この解除状態において発光部を回動することにより発光部をバウンス状態にすることができる。
【０００３】
そして、この電子閃光装置では、回動動作が禁止された禁止状態を解除したことを検出手段が検出して、写真の撮影者や電子閃光装置そのものに発光部が正面を向いていないことを知らしめている。
これによって、特に、照射角が撮影レンズの焦点距離と連動するように自動設定されている電子閃光装置では、照射角を手動に切り換え、発光部が例えば上方を向いている時は、照射角が望遠側を向くように設定可能にし、撮影が望ましくない状態でなされないようにしている。
【特許文献１】特開平１１−６４９３７号公報
【発明の開示】
【発明が解決しようとする課題】
【０００４】
しかしながら、従来の電子閃光装置では、回動動作が禁止された禁止状態を解除したことを検出する検出手段を、垂直方向の禁止状態の解除を検出する検出手段と、水平方向の禁止状態の解除を検出する検出手段とで別々に設けていたため、コストアップの原因になり、また、装置の小型化に支障があるという問題があった。
本発明は、かかる従来の問題を解決するためになされたもので、発光部の垂直方向または水平方向あるいは両方向の回動動作の禁止状態の解除を同一の検出手段で検出することができる電子閃光装置を提供することを目的とする。
【課題を解決するための手段】
【０００５】
請求項１の電子閃光装置は、発光部を本体部に対して垂直方向の基本状態位置から垂直方向に回動し垂直方向のバウンス状態位置にするための垂直方向回動手段と、前記発光部を前記本体部に対して水平方向の基本状態位置から水平方向に回動し水平方向のバウンス状態位置にするための水平方向回動手段とを備えた電子閃光装置において、前記発光部が、前記垂直方向または水平方向のいずれか／または両方向の前記バウンス状態位置にあることを、同一の位置検出手段により検出することを特徴とする。
【０００６】
請求項２の電子閃光装置は、請求項１記載の電子閃光装置において、前記発光部が連結部を介して本体部に連結され、前記垂直方向回動手段は、前記発光部を前記連結部に対して回動し、前記水平方向回動手段は、前記連結部を前記本体部に対して回動することを特徴とする。
請求項３の電子閃光装置は、発光部を本体部に対して垂直方向の基本状態位置から垂直方向に回動し垂直方向のバウンス状態位置にするための垂直方向回動手段と、前記発光部を前記本体部に対して水平方向の基本状態位置から水平方向に回動し水平方向のバウンス状態位置にするための水平方向回動手段とを備えた電子閃光装置において、前記発光部を前記垂直方向の基本状態位置に係止する垂直方向係止手段と、前記発光部を前記水平方向の基本状態位置に係止する水平方向係止手段と、前記連結部に配置され前記垂直方向係止手段および水平方向係止手段の係止を解除する係止解除手段と、前記係止解除手段による係止解除状態において、前記発光部が前記垂直方向または水平方向のいずれか／または両方向の前記バウンス状態位置にある時に接点をオンにする位置検出手段とを有することを特徴とする。
【０００７】
請求項４の電子閃光装置は、請求項３記載の電子閃光装置において、前記発光部が連結部を介して本体部に連結され、前記垂直方向回動手段は、前記発光部を前記連結部に対して回動し、前記水平方向回動手段は、前記連結部を前記本体部に対して回動するとともに、前記垂直方向係止手段は、前記発光部を前記連結部に係止し、前記水平方向係止手段は、前記連結部を前記本体部に係止し、前記位置検出手段は、前記発光部または前記連結部がバウンス状態位置に回動された時に接点をオンにすることを特徴とする。
【０００８】
請求項５の電子閃光装置は、請求項４記載の電子閃光装置において、前記垂直方向係止手段は、前記連結部内に配置され前記発光部の回動に伴い回動する回動部材と、前記連結部内に配置され前記発光部が前記基本状態位置にある時に前記回動部材を第１の軸長方向位置で係止し、前記発光部が前記バウンス状態位置にある時に前記回動部材を第２の軸長方向位置に位置させる係合部材とを備え、前記水平方向係止手段は、前記連結部内に配置され前記連結部が前記基本状態位置にある時に前記連結部および前記本体部に形成される穴部に挿入され、前記連結部が前記バウンス状態位置にある時に前記本体部の外面に当接されるピン部材と、前記連結部内に配置され前記ピン部材を前記本体部側に付勢する付勢部材とを備え、前記係止解除手段は、前記連結部に配置され押圧操作される操作部材と、前記連結部内に配置され前記操作部材の押圧により前記第２の軸長方向位置に移動されるレバー部材と、前記連結部内に配置され前記レバー部材の前記第２の軸長方向位置への移動により第３の軸長方向位置に移動される第１の移動部材と、前記第１の移動部材の前記第３の軸長方向位置への移動により前記ピン部材を前記付勢手段による付勢方向と反対に移動して前記本体部に形成される穴部への係止を解除する解除機構とを備え、前記位置検出手段は、前記連結部内に配置され前記第１の移動部材の前記第３の軸長方向位置への移動によりブラシ部を移動して接点をオンにする位置検出手段とを有することを特徴とする。
【０００９】
請求項６の電子閃光装置は、請求項５記載の電子閃光装置において、前記垂直方向係止手段は、両側に係止部が形成される前記回動部材と、前記発光部が前記基本状態位置にある時に前記回動部材の前記係止部が係合され、前記発光部が前記バウンス状態位置にある時に前記回動部材の両側の前記係止部が側面に当接される前記係合部材とを備え、前記第１の軸長方向位置は、前記回動部材の前記係止部が前記係合部材に係合している位置であり、前記第２の軸長方向位置は、前記回動部材の両側の前記係止部が前記係合部材の側面に当接されている位置であることを特徴とする。
【００１０】
請求項７の電子閃光装置は、請求項５または請求項６記載の電子閃光装置において、前記係止解除手段の前記解除機構は、前記ピン部材に固定される第２の移動部材と、前記第２の移動部材に固定され前記第１の移動部材に形成されるカム溝に案内される案内ピンとを備え、前記位置検出手段は、前記第２の移動部材に固定される前記ブラシ部と、前記連結部内に配置され前記第１の移動部材の前記第３の軸長方向位置への移動による前記第２の移動部材の移動により前記ブラシ部により接点をオンにされるプリント基板とを備えていることを特徴とする。
【発明の効果】
【００１１】
本発明の電子閃光装置では、発光部の垂直方向または水平方向あるいは両方向の回動動作の禁止状態の解除を同一の検出手段で検出することができる。
【発明を実施するための最良の形態】
【００１２】
以下、本発明の実施形態を、図面を用いて詳細に説明する。
図１および図２は、本発明の電子閃光装置の一実施形態を示している。
これ等の図において符号１１は、カメラ側に固定される本体部の上部を示している。
この本体部１１には、発光部１３が連結部１５を介して連結されている。
発光部１３は、図示しない周知の垂直方向回動手段により連結部１５に対して回動可能とされている。この実施形態では、発光部１３の両端が、連結部１５の軸長方向の両端に回動可能に連結されている。そして、発光部１３は、連結部１５の外周に沿って回動可能とされている。
【００１３】
また、連結部１５は、水平方向回動手段１７により本体部１１に対して回動可能とされている。水平方向回動手段１７は、本体部１１の上面に形成される円形状の穴部１１ａに、連結部１５の下面に形成される突出部１５ａの外周を嵌合してなる。そして、連結部１５は、穴部１１ａの中心軸Ｌを中心にして回動可能とされている。
そして、この実施形態では、図１および図２に示すように、発光部１３が本体部１１に対して水平方向を向いている時が、連結部１５に対して垂直方向に回動される発光部１３の垂直方向の基本状態位置とされている。
【００１４】
また、図３および図４に示すように、発光部１３が本体部１１に対して垂直方向に回動されている時が、連結部１５に対して垂直方向に回動される発光部１３の垂直方向のバウンス状態位置とされている。
そして、図１および図２に示すように、連結部１５が本体部１１に完全に重なっている時が、本体部１１に対して水平方向に回動される発光部１３の水平方向の基本状態位置とされている。
【００１５】
また、図３および図４に示すように、連結部１５が本体部１１に対して水平方向に回動されている時が、本体部１１に対して水平方向に回動される発光部１３の水平方向のバウンス状態位置とされている。なお、図３および図４は、連結部１５が本体部１１に対して水平方向に回動した状態を示す図であるが、水平方向への回動角が比較的小さい状態であるため、本体部１１に対する連結部１５の位置が便宜上図１および図２と同様に図示されている。
【００１６】
そして、この実施形態では、図１および図２に示すように、連結部１５の一側には、発光部１３を垂直方向の基本状態位置に係止する垂直方向係止手段１９が配置されている。
この垂直方向係止手段１９は、回動部材２１と係合部材２３とを備えている。
回動部材２１は、連結部１５内に配置され発光部１３の回動に伴い回動する。また、係合部材２３は、連結部１５内に配置され、図１および図２に示すように発光部１３が基本状態位置にある時に回動部材２１を第１の軸長方向位置で係止し、図３および図４に示すように発光部１３がバウンス状態位置にある時に回動部材２１を第２の軸長方向位置に位置させる。
【００１７】
すなわち、この実施形態では、回動部材２１の両側に係止部２１ａが形成されている。また、係合部材２３の内周の対向する位置に係止溝２３ａが形成されている。そして、図１および図２に示すように、発光部１３が基本状態位置にある時に、回動部材２１の係止部２１ａが係合部材２３の係止溝２３ａに係合される。また、図３および図４に示すように、発光部１３が垂直方向のバウンス状態位置にある時に回動部材２１の両側の係止部２１ａが側面に当接される。
【００１８】
そして、第１の軸長方向位置は、回動部材２１の係止部２１ａが係合部材２３の係止溝２３ａに係合している位置とされ、第２の軸長方向位置は、回動部材２１の両側の係合部が係合部材２３の側面に当接される位置とされている。
この実施形態では、図１および図２に示すように、連結部１５の軸長方向の中央には、水平方向回動手段１７の中心軸Ｌから偏心した位置に、発光部１３を水平方向の基本状態位置に係止する水平方向係止手段２５が配置されている。
【００１９】
この水平方向係止手段２５は、ピン部材２７と付勢手段２９とを備えている。
ピン部材２７は、連結部１５内に配置され、図１および図２に示すように、連結部１５が基本状態位置にある時に、ピン部材２７の下部が、連結部１５および本体部１１に形成される穴部１５ｂ，１１ｂに挿入される。また、図３および図４に示すように、発光部１３が水平方向のバウンス状態位置にある時に、本体部１１の外面に当接される。付勢手段２９は、コイルスプリングからなり、ピン部材２７を本体部１１側に付勢する。また、ピン部材２７の上部は、連結部１５に形成される受け部１５ｃにより案内されている。
【００２０】
そして、この実施形態では、図２に示すように、連結部１５の垂直方向係止手段１９と水平方向係止手段２５との間に、垂直方向係止手段１９および水平方向係止手段２５の係止を解除する係止解除手段３１が配置されている。
この係止解除手段３１は、操作部材３３，レバー部材３５，第１の移動部材３７および解除機構３９を備えている。
【００２１】
操作部材３３は、連結部１５の端部の外側に配置され、指により押圧操作可能とされている。レバー部材３５は、連結部１５内に配置され操作部材３３の押圧により前述した第２の軸長方向位置に移動される。
第１の移動部材３７は、連結部１５内に配置されレバー部材３５の第２の軸長方向位置への移動により第３の軸長方向位置に移動される。
【００２２】
すなわち、レバー部材３５には、支持軸３５ａが一体形成され、この支持軸３５ａが連結部１５内に回動自在に支持されている。レバー部材３５の一側には、回動部材２１に当接される当接部３５ｂが形成されている。レバー部材３５の当接部３５ｂと反対側には、ピン部３５ｃが一体形成されている。このピン部３５ｃの先端は、第１の移動部材３７に形成される溝部３７ａに挿入されている。
【００２３】
第１の移動部材３７には、軸長方向に長穴３７ｂが形成されている。この長穴３７ｂには、連結部１５に固定される固定ピン４１が挿入されている。
解除機構３９は、第１の移動部材３７の第３の軸長方向位置への移動により、ピン部材２７を付勢手段２９による付勢方向と反対に移動し、本体部１１に形成される穴部１１ｂへのピン部材２７の係止を解除する。
【００２４】
すなわち、この実施形態では、解除機構３９は、図５に示すように、第２の移動部材４３と案内ピン４５とを備えている。第２の移動部材４３は、ピン部材２７に固定されている。案内ピン４５は、第２の移動部材４３に固定され、第１の移動部材３７に形成されるカム溝３７ｃに案内されている。
そして、図６に示すように、レバー部材３５の当接部３５ｂの矢符Ａ方向への回動により、第１の移動部材３７が矢符Ｂ方向に移動すると、案内ピン４５が第１の移動部材３７のカム溝３７ｃに沿って上昇し、第２の移動部材４３の上昇によりピン部材２７が上昇し、本体部１１に形成される穴部１１ｂへのピン部材２７の係止が解除される。
【００２５】
この実施形態では、第２の移動部材４３の奥側に、係止解除手段３１による係止解除状態において、発光部１３が垂直方向または水平方向のいずれか、または両方向のバウンス状態位置にある時に接点をオンにする位置検出手段４７が配置されている。
この位置検出手段４７は、図７に示すように、ブラシ部４９とプリント基板５１とを備えている。ブラシ部４９は、第２の移動部材４３に固定されている。また、プリント基板５１には、導体により第１のパターン５１ａと第２のパターン５１ｂとが形成されている。
【００２６】
そして、図８に示すように、第２の移動部材４３の上方への移動により、ブラシ部４９が上方に移動し、ブラシ部４９により第１のパターン５１ａと第２のパターン５１ｂとが導通され、これにより接点がオンにされる。
この実施形態の電子閃光装置では、図１および図２に示す状態から操作部材３３を押圧することにより、発光部１３を垂直方向および水平方向に回動することが可能になる。
【００２７】
すなわち、図１および図２に示す状態から操作部材３３を押圧すると、レバー部材３５が回動部材２１を介して押圧され、レバー部材３５の回動部材２１への当接部３５ｂが、図４に示すように、レバー部材３５の支持軸３５ａを中心にして回転される。
このレバー部材３５の回転により、第１の移動部材３７が固定ピン４１に案内されて操作部材３３側に移動する。そして、第１の移動部材３７が、操作部材３３側に移動すると、図６に示したように、案内ピン４５が第１の移動部材３７のカム溝３７ｃに沿って上昇し、第２の移動部材４３の上昇によりピン部材２７が上昇し、本体部１１に形成される穴部１１ｂへのピン部材２７の係止が解除される。
【００２８】
従って、この状態で連結部１５を水平方向に回動することが可能になる。そして、連結部１５を水平方向に回動すると、ピン部材２７が本体部１１の上面に乗り上げ操作部材３３を押圧しない状態でも連結部１５を回動することが可能になる。
一方、操作部材３３を押圧した状態では、回動部材２１が押圧され、回動部材２１の両端の係止部２１ａが、係合部材２３の係止溝２３ａから操作部材３３と反対側に離脱しており、回動部材２１を回動することが可能になる。従って、発光部１３を垂直方向に回動することが可能である。
【００２９】
発光部１３を垂直方向に回動して回動部材２１を回動すると、回動部材２１の両端の係止部２１ａが、係止溝２３ａから離脱した状態で係合部材２３のレバー部材３５側の側面に沿って回動する。従って、この状態で発光部１３を垂直方向に自由に回動することが可能になる。
そして、この状態では、回動部材２１の両端の係止部２１ａが、係合部材２３のレバー部材３５側の側面に当接しているため、レバー部材３５が、図３に示すように、常に押圧された状態となっている。
【００３０】
従って、第１の移動部材３７は、操作部材３３側に移動され、第２の移動部材４３が上方に移動されている。そして、図８に示したように、第２の移動部材４３に固定されるブラシ部４９が上方に移動し、ブラシ部４９により第１のパターン５１ａと第２のパターン５１ｂとが導通され、これにより接点がオンにされる。
また、発光部１３を水平方向に回動した状態では、ピン部材２７が本体部１１の上面に乗り上げ、ピン部材２７に固定される第２の移動部材４３が上方に移動している。従って、図８に示したように、第２の移動部材４３に固定されるブラシ部４９が上方に移動し、ブラシ部４９により第１のパターン５１ａと第２のパターン５１ｂとが導通され、これにより接点がオンにされる。
【００３１】
上述した電子閃光装置では、発光部１３の垂直方向または水平方向あるいは両方向の回動動作の禁止状態の解除を同一の検出手段で検出することができる。
すなわち、上述した電子閃光装置では、発光部１３が垂直方向に回動されバウンス状態になっている時には、回動部材２１の両端の係止部２１ａが、係合部材２３のレバー部材３５側の側面に当接しているため、レバー部材３５が、図４に示したように、常に押圧された状態になっている。
【００３２】
そして、この状態では、第２の移動部材４３に固定されるブラシ部４９が上方に移動し、ブラシ部４９により第１のパターン５１ａと第２のパターン５１ｂとが導通され接点がオンにされるため、発光部１３の垂直方向の回動動作の禁止状態の解除を検出することができる。
また、発光部１３が水平方向に回動されバウンス状態になっている時には、ピン部材２７が本体部１１の上面に乗り上げ、ピン部材２７に固定される第２の移動部材４３が上方に移動している。
【００３３】
そして、この状態では、第２の移動部材４３に固定されるブラシ部４９が上方に移動し、ブラシ部４９により第１のパターン５１ａと第２のパターン５１ｂとが導通され接点がオンにされるため、発光部１３の水平方向の回動動作の禁止状態の解除を検出することができる。
そして、発光部１３が垂直方向および水平方向に回動されバウンス状態になっている時には、第２の移動部材４３に固定されるブラシ部４９が上方に移動し、ブラシ部４９により第１のパターン５１ａと第２のパターン５１ｂとが導通され接点がオンにされるため、発光部１３の回動動作の禁止状態の解除を検出することができる。
【００３４】
従って、発光部１３の垂直方向または水平方向あるいは両方向の回動動作の禁止状態の解除を同一の検出手段で検出することが可能になり、コストの低減を図り、また、装置の小型化を図ることが可能になる。
なお、上述した実施形態では、本体部１１に対して連結部１５を回動することにより発光部１３を水平方向に回動した例について説明したが、本発明はかかる実施形態に限定されるものではなく、例えば、連結部に対して発光部を回動して発光部を水平方向に回動するようにしても良い。
【図面の簡単な説明】
【００３５】
【図１】本発明の電子閃光装置の一実施形態を横断面で示す説明図である。
【図２】図１の電子閃光装置を縦断面で示す説明図である。
【図３】図１の状態から発光部を垂直方向および水平方向に回動した状態を示す説明図である。
【図４】図２の状態から発光部を垂直方向および水平方向に回動した状態を示す説明図である。
【図５】図１の状態の第１の移動部材および第２の移動部材を示す説明図である。
【図６】図３の状態の第１の移動部材および第２の移動部材を示す説明図である。
【図７】図１の状態のプリント基板および第２の移動部材を示す説明図である。
【図８】図３の状態のプリント基板および第２の移動部材を示す説明図である。
【符号の説明】
【００３６】
１１  本体部
１１ｂ  穴部
１３  発光部
１５  連結部
１５ｂ  穴部
１７  水平方向回動手段
１９  垂直方向係止手段
２１  回動部材
２１ａ  係止部
２３  係合部材
２３ａ  係止溝
２５  水平方向係止手段
２７  ピン部材
２９  付勢手段
３１  係止解除手段
３３  操作部材
３５  レバー部材
３７  第１の移動部材
３７ｃ  カム溝
３９  解除機構
４３  第２の移動部材
４５  案内ピン
４７  位置検出手段
４９  ブラシ部
５１  プリント基板
【図１】
2005099411.tif 000003
【図２】
2005099411.tif 000004
【図３】
2005099411.tif 000005
【図４】
2005099411.tif 000006
【図５】
2005099411.tif 000007
【図６】
2005099411.tif 000008
【図７】
2005099411.tif 000009
【図８】
2005099411.tif 000010